(57)【特許請求の範囲】
【請求項１】
複数の情報源符号化データを多重化して生成されたデータを、複数の情報源符号化データに分離するためのマルチメディア通信用の多重化データ分離装置において、
複数の多重化分離プロトコルを選択的に使用して多重化データを複数の情報源符号化データに分離するためのデータ分離手段と、
入力された多重化データが前記データ分離手段により分離可能なデータであった場合に、該多重化データの一部あるいは全部を用いて、該多重化データの多重化分離プロトコルを識別するための多重化分離プロトコル識別手段とを有し、
前記多重化分離プロトコル識別手段により、入力された前記多重化データの多重化分離プロトコルが識別された場合に、前記データ分離手段により、入力された前記多重化データを複数の情報源符号化データに分離することを特徴とするマルチメディア通信用の多重化データ分離装置。
【請求項２】
複数の多重化分離プロトコルを選択的に使用して多重化データを複数の情報源符号化データに分離するためのデータ分離手段と、
入力された多重化データが前記データ分離手段により分離可能なデータであった場合に、該多重化データの一部あるいは全部を用いて、該多重化データの多重化分離プロトコルを識別するための多重化分離プロトコル識別手段とを有する多重化データ分離装置を備え、
前記多重化分離プロトコル識別手段により、入力された前記多重化データの多重化分離プロトコルが識別された場合に、前記データ分離手段により、入力された前記多重化データを複数の情報源符号化データに分離することによりマルチメディア通信を行うことを特徴とするマルチメディア通信装置。
【請求項３】
複数の多重化分離プロトコルを選択的に使用して多重化データを複数の情報源符号化データに分離するためのデータ分離手段と、
入力された多重化データが前記データ分離手段により分離可能なデータであった場合に、該多重化データの一部あるいは全部を用いて、該多重化データの多重化分離プロトコルを識別するための多重化分離プロトコル識別手段とを有するマルチメディア通信用の多重化データ分離装置を備えたマルチメディア通信装置により、ネットワークを介してマルチメディア通信を行うことを特徴とするマルチメディア通信システム。
【請求項４】
コンピュータを用いて、
複数の多重化分離プロトコルを選択的に使用して多重化データを複数の情報源符号化データに分離するためのデータ分離手段と、
入力された多重化データが前記データ分離手段により分離可能なデータであった場合に、該多重化データの一部あるいは全部を用いて、該多重化データの多重化分離プロトコルを識別するための多重化分離プロトコル識別手段とを実現し、前記多重化分離プロトコル識別手段により、入力された前記多重化データの多重化分離プロトコルが識別された場合に、前記データ分離手段により、入力された前記多重化データを複数の情報源符号化データに分離するための機能を有するプログラムを記録したことを特徴とする記録媒体。
【発明の詳細な説明】
【０００１】
【発明の属する技術分野】
本発明は、離れた多地点間で、音声、映像およびデータ等を伝送するためのマルチメディア通信装置、マルチメディア通信システム、およびこれらに用いる多重化データ分離装置に関するものである。
【０００２】
【従来の技術】
従来、音声、映像およびデータ等を伝送するいわゆるマルチメディア通信を行うためには、単一の通信リンク上でディジタル音声／オーディオ、ディジタルビデオ／映像、およびデータ情報を任意に組み合わせて転送する多重化プロトコルが用いられている。
この多重化プロトコルの規格としては、ＩＴＵ−Ｔ  Ｈ．２２５．０や、ＩＴＵ−Ｔ  Ｈ．２２３などがあり、前者はマルチメディア通信システム規格ＩＴＵ−Ｔ  Ｈ．３２３において、後者は同じくＩＴＵ−Ｔ  Ｈ．３２４において、使用することが定められている。
【０００３】
ここで、１つの端末が、１つのシステム規格に準拠している場合には、準拠しているシステム規格で使用する多重化プロトコルのみに応答するとともに、他の多重化プロトコルにより多重化されたメディア情報が送信されてきたとしても、規格外の情報として読み捨てればよい。
【０００４】
例えば、ＩＴＵ−Ｔ  Ｈ．３２３準拠端末に対して、ＩＴＵ−Ｔ  Ｈ．２２５．０規格により多重化された情報が送信された場合に、当該端末はこの情報を適切に分離し、メディア再生処理をしなければならない。一方、同じ端末に対して、ＩＴＵ−ＴＨ．２２３規格により多重化された情報が送信されたとしても、当該端末にとって規格外の多重化情報であるため、対応不可情報として無視される。
【０００５】
【発明が解決しようとする課題】
しかしながら、１つの端末が複数のシステム規格に準拠している場合、すなわち、受信する情報の多重化プロトコルが複数存在しうる場合には、その端末は、受信する情報がどのようなプロトコルにより多重化されているのかを予め知らなければならない。
【０００６】
受信側に多重化プロトコルの種類を知らせるために、例えばＩＴＵ−Ｔ  Ｈ．３２３システムでは、通信の開始時に、呼制御の規格であるＩＴＵ−Ｔ  Ｑ．９３１で規定されるメッセージを使用した呼接続を行い、メッセージの情報要素に多重化プロトコル情報を付与する。しかし一方で、ＩＴＵ−Ｔ  Ｈ．３２４システムでは、ＩＴＵ−Ｔ  Ｈ．２２３により多重化されていることを前提として動作し、多重化プロトコルの種類通知手段は特に定めていない。
【０００７】
このため、例えば通信システム規格ＩＴＵ−Ｔ  Ｈ．３２３およびＩＴＵ−ＴＨ．３２４の両方に準拠した単一の端末があった場合、マルチメデイア通信の開始時に、どちらの規格を使用して接続するかをユーザが選択しなければならない。このような選択を行わなければ、端末は、受信した情報がＩＴＵ−ＴＨ．２２５．０により多重化されているのか、ＩＴＵ−Ｔ  Ｈ．２２３により多重化されているのか判断することができない。
【０００８】
しかし、このような複数の規格に準拠した端末において、ユーザがＩＴＵ−ＴＨ．３２３規格を選択した場合に、当該端末にはＩＴＵ−Ｔ  Ｈ．３２４準拠の端末と通信する能力があるにもかかわらず、ＩＴＵ−ＴＨ．３２４準拠の端末から情報を受信したとしても、ＩＴＵ−ＴＨ．３２３準拠端末として動作しているために、受信した情報は捨てられてしまい、通信することができない。
同様に、ユーザがＩＴＵ−Ｔ  Ｈ．３２４規格を選択した場合には、ＩＴＵ−Ｔ  Ｈ．３２３準拠の端末と通信することができない。
【０００９】
本発明は、上述した事情に鑑み提案されたもので、通信網より受信した多重化データに基づいて自動的に多重化プロトコルを識別し、多重化データを複数の情報源符号化データに分離することが可能なマルチメディア通信用の多重化データ分離装置、マルチメディア通信装置およびマルチメディア通信システムを提供することを目的とする。
【００１０】
【課題を解決するための手段】
本発明に係るマルチメディア通信用の多重化データ分離装置は、複数の情報源符号化データを多重化して生成されたデータを、複数の情報源符号化データに分離するためのマルチメディア通信用の多重化データ分離装置において、
複数の多重化分離プロトコルを選択的に使用して多重化データを複数の情報源符号化データに分離するためのデータ分離手段と、入力された多重化データが前記データ分離手段により分離可能なデータであった場合に、該多重化データの一部あるいは全部を用いて、該多重化データの多重化分離プロトコルを識別するための多重化分離プロトコル識別手段とを有し、
前記多重化分離プロトコル識別手段により、入力された前記多重化データの多重化分離プロトコルが識別された場合に、前記データ分離手段により、入力された前記多重化データを複数の情報源符号化データに分離することを特徴とするものである。
【００１１】
また、本発明に係るマルチメディア通信装置は、前記多重化データ分離装置を用いて構成したことを特徴とするものである。
【００１２】
また、本発明に係るマルチメディア通信システムは、前記マルチメディア通信装置を用いて構成したことを特徴とするものである。
【００１３】
また、記録媒体に対して、コンピュータを用いて上述した各手段を実現するためのプログラムを記録することが可能である。
この場合、コンピュータとは、パーソナルコンピュータのように複数の機器により構成されたものの他に、ＣＰＵ、ＲＯＭ、ＲＡＭ等の機能を有するチップを搭載した基板や、いわゆるワンチップマイコン等を含む概念である。
【００１４】
本発明に係るマルチメディア通信用の多重化データ分離装置、マルチメディア通信装置、マルチメディア通信システムは、上述した構成を備えているため、以下のように動作する。
すなわち、本発明に係るマルチメディア通信用の多重化データ分離装置、マルチメディア通信装置、マルチメディア通信システムは、ユーザによる選択に代えて、端末内の多重分離部で多重化プロトコルを識別し、使用する多重化プロトコルを切り替える。例えばＩＴＵ−Ｔ  Ｈ．３２３とＩＴＵ−Ｔ  Ｈ．３２４の２つの規格に準拠した端末があった場合、当該端末は、通信網より受信した情報を読み込み、そのフォーマットがＩＴＵ−Ｔ  Ｈ．２２５．０、ＩＴＵ−Ｔ  Ｈ．２２３のいずれに準拠しているかによって使用する多重化プロトコルを切り替える。
ここで、受信した情報がＩＴＵ−Ｔ  Ｈ．２２５．０準拠のフォーマットであった場合には、ＩＴＵ−Ｔ  Ｈ．２２５．０規格に従って情報を分離する。一方、受信した情報がＩＴＵ−Ｔ  Ｈ．２２３準拠のフォーマットであった場合には、ＩＴＵ−Ｔ  Ｈ．２２３規格に従って情報を分離する。
このように、複数の通信システム規格に準拠した端末を用いて、当該端末が応答し得る接続に的確に対応して、マルチメディア通信を行うことができる。
【００１５】
【発明の実施の形態】
以下、図面に示す具体的な実施例に基づいて、本発明に係るマルチメディア通信用の多重化データ分離装置、マルチメディア通信装置、マルチメディア通信システムの実施形態を説明する。
【００１６】
図１は、本発明の一実施形態に係るマルチメディア通信装置の概略構成を示すブロック図である。
本発明の一実施形態に係るマルチメディア通信装置１は、図１に示すように、装置全体を制御するためのシステム制御部２、通信網８を介して他のマルチメディア通信装置と接続のネゴシエーションを行う際に送受信する接続制御信号を制御するための端末間信号制御部３、送受信する音声データの符号化復号化を行うための音声コーデック４、送受信する映像データの符号化復号化を行うための映像コーデック５、接続制御信号、符号化音声データ、符号化映像データを多重化するための多重化部６、多重化して送られてくる接続制御信号、符号化音声データ、符号化映像データを分離するための分離部１４、および通信網インタフェース部７により構成される。
また、システム制御部２には、ユーザインタフェース９が接続されており、音声コーデック４には、スピーカ１０およびマイク１１が接続されており、映像コーデック５には、モニタ１２およびカメラ１３が接続されている。
【００１７】
図２は、図１に示す分離部１４の概略構成を示すブロック図である。
分離部１４は、図２に示すように、Ｈ．２２５．０分離部１５、多重化プロトコル識別部１６、Ｈ．２２３分離部１７により構成される。
【００１８】
多重化プロトコル識別部１６は、通信網インタフェース部７を介して、他のマルチメディア通信装置より送信される多重化データのプロトコルを識別し、Ｈ．２２５．０プロトコルにより多重化されたデータであれば、該受信データをＨ．２２５．０分離部１５へ送信し、Ｈ．２２３プロトコルにより多重化されたデータであれば、該受信データをＨ．２２３分離部１７へ送信する。
【００１９】
Ｈ．２２５．０分離部１５は、多重化プロトコル識別部１６より受信したデータに対して、Ｈ．２２５．０プロトコルの規約に従い、接続制御信号、符号化音声データおよび符号化映像データに分離し、端末間信号制御部３、音声コーデック４および映像コーデック５にそれぞれ送信する。
Ｈ．２２３分離部１７は、多重化プロトコル識別部１６より受信したデータに対して、Ｈ．２２３プロトコルの規約に従い、接続制御信号、符号化音声データおよび符号化映像データに分離し、端末間信号制御部３、音声コーデック４および映像コーデック５にそれぞれ送信する。
【００２０】
次に、図３に基づいて、多重化プロトコル識別部１６を用いて、受信した多重化データのプロトコルを識別する手順を説明する。
図３は、多重化プロトコル識別部１６を用いて、受信した多重化データのプロトコルを識別する手順を示すフローチャートである。
なお、図３に示す例では、多重化プロトコルとして、ＩＴＵ−Ｔ勧告  Ｈ．２２３あるいはＨ．２２５．０を使用している。
【００２１】
多重化プロトコル識別部１６を用いて、受信した多重化データのプロトコルを識別するには、図３に示すように、多重化プロトコル識別部１６において、回線より受信した多重化データの先頭１オクテットを抽出する（Ｓ１）。
受信したデータがＩＴＵ−Ｔ勧告Ｈ．２２５．０に従って多重化されている場合には、先頭の２ビットがＲＴＰの版を示す。ＲＴＰは、ＲＦＣ（Ｉｎｔｅｒｎｅｔ  Ｒｅｑｕｅｓｔ  ｆｏｒ  Ｃｏｍｍｅｎｔｓ：インターネット標準提案）１８８９および１８９０に記述された、リアルタイムでデータを転送するためのプロトコル（Ｒｅａｌｔｉｍｅ  Ｔｒａｎｓｐｏｒｔ  Ｐｒｏｔｏｃｏｌ）である。ＩＴＵ−Ｔ勧告Ｈ．２２５．０で使用するＲＴＰの版は、「２」と定められている。
【００２２】
このため、先頭の２ビットが「１０（２進数：以下同様）」であるか否かを判断し（Ｓ２）、先頭の２ビットが「１０」であった場合には、該受信データの多重化プロトコルをＨ．２２５．０と判断し、該受信データをＨ．２２５．０分離部１５に送信する（Ｓ４）。
【００２３】
一方、先頭の２ビットが「１０」でなかった場合には、受信データがＨ．２２３多重化データであるかどうかを判断する。すなわち、Ｈ．２２３プロトコルにより多重化されたデータは、ＭＵＸ−ＰＤＵと呼ばれるパケットによって送信される。Ｈ．２２３ＭＵＸ−ＰＤＵは、その前後に固有ビットパターン「０１１１１１１０（２進数：以下同様）」で構成されるフラグがついていなければならない。したがって、多重化プロトコル識別部１６は、受信データの先頭１オクテットを検査し、それが「０１１１１１１０」であるか否かを判断する（Ｓ３）。
【００２４】
ここで、先頭１オクテットが「０１１１１１１０」であった場合には、該受信データの多重化プロトコルをＨ．２２３と判断し、該受信データをＨ．２２３分離部１７に送信する（Ｓ５）。
一方、先頭１オクテットが「０１１１１１１０」でなかった場合には、該受信データを破棄する（Ｓ６）。
【００２５】
次に、以上のように構成された多重化データ分離装置を用いたマルチメディア通信装置１により、マルチメディア通信を行う場合の動作を説明する。
最初に、多重化プロトコルとしてＩＴＵ−Ｔ  Ｈ．２２５．０を使用する場合の動作を説明する。
【００２６】
マルチメディア通信装置１は、通信網８を介して、遠隔にある他の通信端末より、ＩＴＵ−ＴＨ．２２５．０に従って多重化された音声または映像情報の少なくとも一方を受信する。また、マルチメディア通信装置１は、図３に示す手順に基づいて、受信情報の多重化プロトコルをＩＴＵ−Ｔ  Ｈ．２２５．０と判断し、受信情報を音声符号化データまたは映像符号化データの少なくとも一方に分離し、音声コーデック４または映像コーデック５の少なくとも一方に送信する。
【００２７】
音声コーデック４および映像コーデック５は、受け取った符号化データを復号し、スピーカ１０あるいはモニタ１２を用いて、受信した音声／映像情報を出力する。
多重化プロトコルとしてＩＴＵ−Ｔ  Ｈ．２２３を使用する場合の動作も、基本的にはＩＴＵ−Ｔ  Ｈ，２２５．０を使用する場合と同じである。
ＩＴＵ−Ｔ  Ｈ．２２３では、音声・画像・端末間信号情報が、ＭＵＸ−ＰＤＵによって送信される。
【００２８】
マルチメディア通信装置１は、通信網８を介して、遠隔にある他の通信端末より、ＩＴＵ−Ｔ  Ｈ．２２３に従って多重化された端末間信号情報と、音声または映像情報の少なくとも一方を受信する。また、マルチメディア通信装置１は、図３に示す手順に基づいて、受信情報の多重化プロトコルをＩＴＵ−Ｔ  Ｈ．２２３と判断し、受信情報を端末間信号情報と、音声符号化データまたは映像符号化データの少なくとも一方に分離し、端末間信号制御部３と、音声コーデック４または映像コーデック５の少なくとも一方に送信する。
【００２９】
音声コーデック４および映像コーデック５は、受け取った符号化データを復号し、スピーカ１０あるいはモニタ１２を用いて、受信した音声／映像情報を出力する。
端末間信号制御部３は、受信した端末間信号から、例えば発信端末の音声・映像符号化復号化能力などを読み取り、システム制御部２に通知する。システム制御部２は、その通知を受けて、例えば当該マルチメディア通信装置１からも音声・映像を送信する場合に、自装置の符号化復号化能力を通知するように端末間信号制御部３に対する要求を行ったり、通知された能力に合わせて音声・映像を符号化するように音声コーデック４および映像コーデック５に対する要求を行う。
【００３０】
ここまでは、音声・映像等、複数のメディアを双方向で通信するための多重化データ分離装置、および双方向通信端末について説明してきた。しかし、本発明による多重化データ分離装置は、音声と画像、テキストデータなどを多重化し、サーバからクライアントヘ片方向で送信し、クライアントで順次再生するストリーミングシステムのクライアント端末にも応用することができる。
【００３１】
以下、このような多重化データ分離装置およびこの多重化データ分離装置を用いたクライアント端末について説明する。なお、以下に示す例では、ストリーミングシステム上で配信される情報の多重化プロトコルの一つであるＡＳＦ（Ａｄｖａｎｃｅｄ  Ｓｔｒｅａｍｉｎｇ  Ｆｏｒｍａｔ）により多重化されたデータを分離する場合について述べる。
【００３２】
ＡＳＦにより多重化されたデータは、複数のオブジェクトにより構成される。各オブジェクトの先頭の１６ｂｙｔｅは、ｕｕｉｄと呼ばれるオブジェクトを識別するためのユニークなＩＤである。ＡＳＦにより多重化されたデータの先頭は、必ずヘッダオブジェクトであるため、先頭１６ｂｙｔｅにはヘッダオブジェクトを示すｕｕｉｄが付されている。
【００３３】
図４に、ＡＳＦにより多重化されたデータを分離するための多重化データ分離装置の概略構成を示す。
この多重化データ分離装置を構成する分離部１８は、図４に示すように、Ｈ．２２５．０分離部１５、多重化プロトコル識別部１９、Ｈ．２２３分離部１７、ＡＳＦ分離部２０により構成される。なお、図４に示す分離部１４を用いたマルチメディア通信装置の構成は、図１に示すものと同様である。
【００３４】
多重化プロトコル識別部１９は、基本的には図２に示す多重化プロトコル識別部１６と同様である。図２に示す多重化プロトコル識別部１６との相違点は、ＩＴＵ−Ｔ  Ｈ．２２３およびＩＴＵ−Ｔ  Ｈ．２２５．０に加え、ＡＳＦにより多重化されたデータを識別し、ＡＳＦにより多重化されたデータであれば該受信データをＡＳＦ分離部２０へ送信することである。
【００３５】
Ｈ．２２５．０分離部１５、Ｈ．２２３分離部１７は、図２に示すものと全く同様の機能を有している。
ＡＳＦ分離部２０は、多重化プロトコル識別部１９より受信したデータに対して、ＡＳＦの規約に従い、符号化音声データと符号化映像データに分離し、音声コーデック４、映像コーデック５にそれぞれ送信する。
【００３６】
次に、図５に基づいて、多重化プロトコル識別部１９を用いて、受信した多重化データのプロトコルを識別する手順を説明する。
図５は、多重化プロトコル識別部１９を用いて、受信した多重化データのプロトコルを識別する手順を示すフローチャートである。
【００３７】
多重化プロトコル識別部１９を用いて、受信した多重化データのプロトコルを識別するには、図５に示すように、多重化プロトコル識別部１９において、回線より受信した多重化データの先頭１オクテットを抽出する（Ｓ１１）。
続いて、先頭の２ビットが「１０（２進数：以下同様）」であるか否かを判断し（Ｓ１２）、先頭の２ビットが「１０」であった場合には、該受信データの多重化プロトコルをＨ．２２５．０と判断し、該受信データをＨ．２２５．０分離部１５に送信する（Ｓ１４）。
【００３８】
一方、先頭の２ビットが「１０」でなかった場合には、多重化プロトコル識別部１６は、受信データの先頭１オクテットを検査し、それが「０１１１１１１０（２進数：以下同様）」であるか否かを判断する（Ｓ１３）。
ここで、先頭１オクテットが「０１１１１１１０」であった場合には、該受信データの多重化プロトコルをＨ．２２３と判断し、該受信データをＨ．２２３分離部１７に送信する（Ｓ１５）。
【００３９】
また、上述した各手順（Ｓ１１〜Ｓ１３）により多重化プロトコルが識別されなかったデータについては、先頭１６オクテットを抽出し（Ｓ１６）、先頭１６オクテットがＡＳＦヘッダオブジェクトのｕｕｉｄであるか否かを判断する（Ｓ１７）。
ここで、先頭１６オクテットがＡＳＦヘッダオブジェクトのｕｕｉｄであった場合には、該受信データをＡＳＦ分離部２０に送信する。
一方、先頭１６オクテットがＡＳＦヘッダオブジェクトのｕｕｉｄでなかった場合には、該受信データを破棄する（Ｓ１９）。
【００４０】
次に、以上のように構成された多重化データ分離装置を用いたマルチメディア通信装置１により、ストリーミングシステムのクライアント端末として、サーバより多重化情報を受信して再生する場合の動作について説明する。なお、ここでは、ＡＳＦのストリームを受信、再生する場合について説明する。
【００４１】
サーバから多重化データを受信すると、マルチメディア通信装置１は、図５に示す手順に基づいて、受信情報の多重化プロトコルをＡＳＦと判断する。以降、同サーバより受信する情報をＡＳＦ分離部２０により分離し、音声符号化データまたは映像符号化データの少なくとも一方に分離し、音声コーデック４または映像コーデック５の少なくとも一方に、該データを送信する。
音声コーデック４および映像コーデック５は、受け取った符号化データを復号し、スピーカ１０あるいはモニタ１２を用いて、受信した音声／映像情報を出力する。
【００４２】
ＡＳＦにより多重化されたデータは、通信網８を介してリアルタイムで送信されるだけでなく、ダウンロードファイルとして提供される場合もある。図６に、このようなダウンロードＡＳＦファイルの再生を考慮したマルチメディア通信装置の概略構成を示す。なお、図６において、図１に示すマルチメディア通信装置１と同様の機能を有する部分には、同一の符号を付して説明を行う。
【００４３】
ダウンロードＡＳＦファイルの再生を考慮したマルチメディア通信装置２１は、図６に示すように、装置全体を制御するためのシステム制御部２２、通信網８を介して他のマルチメディア通信装置と接続のネゴシエーションを行う際に送受信する接続制御信号を制御するための端末間信号制御部３、送受信する音声データの符号化復号化を行うための音声コーデック４、送受信する映像データの符号化復号化を行う映像コーデック５、接続制御信号、符号化音声データ、符号化映像データを多重化するための多重化部６、多重化して送られてくる接続制御信号、符号化音声データ、符号化映像データを分離するための分離部１８、通信網インタフェース部７、および記憶装置２３により構成される。
また、システム制御部２には、ユーザインタフェース９が接続されており、音声コーデック４には、スピーカ１０およびマイク１１が接続されており、映像コーデック５には、モニタ１２およびカメラ１３が接続されている。
【００４４】
次に、以上のように構成された多重化データ分離装置を使用したマルチメディア通信装置２１により、ダウンロードしたＡＳＦファイルの再生を行う場合の動作を説明する。
【００４５】
ダウンロードしたＡＳＦファイルは、マルチメディア通信装置２１の記憶装置２３に保存される。また、マルチメディア通信装置２１は、記憶装置２３から該ファイルの情報を読み出し、図５に示す手順に基づいて、該ファイルに保存されている情報の多重化プロトコルをＡＳＦと判断する。以降、記憶装置２３より読み出す情報をＡＳＦ分離部２０により分離し、音声符号化データまたは映像符号化データの少なくとも一方に分離し、音声コーデック４または映像コーデック５の少なくとも一方に、該データを送信する。
音声コーデック４および映像コーデック５は、受け取った符号化データを復号し、スピーカ１０あるいはモニタ１２を用いて、受信した音声／映像情報を出力する。
【００４６】
また、上述した多重化データ分離装置の機能を実現するためのプログラムを記録媒体に記録し、この記録媒体を用いて当該プログラムをコンピュータに読み込ませ、当該プログラムに従ってコンピュータを動作させることにより、多重化データ分離装置およびこれを用いたマルチメディアデータ通信装置を構成することができる。なお、記録媒体としては、例えば、ＣＤ−ＲＯＭ、ＣＤ−Ｒ、ＣＤ−ＲＷ、ＤＶＤ−ＲＯＭ、ＤＶＤ−ＲＡＭ、ＭＯ、ＰＤ、ＺＩＰ、ハードディスク記憶装置等、各種のものを使用することができる。
【００４７】
【発明の効果】
以上説明したように、本発明に係る多重化データ分離装置は、通信網からの受信データに基づいて、ユーザ制御によらず自動的に多重化プロトコルを識別して、音声、映像などのデータに分離することができる。
したがって、複数の通信システム規格に準拠した端末において、自動的に多重化プロトコルを切り替え、該端末が可能な接続に的確に対応して、マルチメディア通信を行うことができる。
【００４８】
また、マルチメディア通信装置およびマルチメディア通信システムに対して、本発明に係る多重化データ分離装置を用いることにより、マルチメディア通信装置およびマルチメディア通信システムにおいて、同様の効果を奏することができる。
【００４９】
また、記録媒体に対して、コンピュータを用いて上述した各手段を実現するためのプログラムを記録することにより、この記録媒体を用いて当該プログラムをコンピュータに読み込ませ、当該プログラムに従ってコンピュータを動作させることにより、多重化データ分離装置およびこれを用いたマルチメディアデータ通信装置を構成することができる。
【図面の簡単な説明】
【図１】本発明の一実施形態に係るマルチメディア通信装置の概略構成を示すブロック図である。
【図２】図１に示す分離部の概略構成を示すブロック図である。
【図３】図２に示す多重化プロトコル識別部により、受信した多重化データのプロトコルを識別する手順を示すフローチャートである。
【図４】ストリーミングシステムのクライアント端末における多重化データ分離機能を兼ね備えた分離部の概略構成を示すブロック図である。
【図５】図４に示す多重化プロトコル識別部により、受信した多重化データのプロトコルを識別する手順を示すフローチャートである。
【図６】マルチメディア通信機能と、ストリーミングシステムのクライアント機能を有するマルチメディア通信装置の概略構成を示すブロック図である。
【符号の説明】
１，２１  マルチメディア通信装置
２，２２  システム制御部
３  端末間信号制御部
４  音声コーデック
５  映像コーデック
６  多重化部
７  通信網インタフェース部
８  通信網
９  ユーザインタフェース
１０  スピーカ
１１  マイク
１２  モニタ
１３  カメラ
１４  分離部
１５  Ｈ．２２５．０分離部
１６  多重化プロトコル識別部
１７  Ｈ．２２３分離部
１８  分離部
１９  多重化プロトコル識別部
２０  ＡＳＦ分離部
２３  記憶装置
【図１】
0004190163.tif 000002
【図２】
0004190163.tif 000003
【図３】
0004190163.tif 000004
【図４】
0004190163.tif 000005
【図５】
0004190163.tif 000006
【図６】
0004190163.tif 000007